(57)【要約】電話回線上でのディジタル信号の同期並列伝送方法が開示される。この方法では、少なくとも二つの周波数（６、７）を有する同期信号を発生し、同時にこれ等のディジタル信号から、異なる少なくとも二つの周波数を有するデータ信号を発生し、前記同期信号とこれ等のデータ信号を、前記同期信号とこれ等のデータ信号の周波数に対応する周波数を有し、電話線上で伝送される音響信号に変換し、これ等の音響信号の少なくとも三つの周波数を電話線上に伝送する。
2004513590.tif 000002
【特許請求の範囲】
【請求項１】
電話線上のディジタル信号の同期式並列伝送方法であって、少なくとも二つの周波数を有する同期信号を発生し、同時にこれ等のディジタル信号から、少なくとも二つの異なる周波数を有するデータ信号を発生し、前記同期信号とこれ等のデータ信号を、前記同期信号とこれ等のデータ信号の周波数に対応する周波数を有し、電話線上で伝送される音響信号に変換し、これ等の音響信号の周波数少なくとも三つを電話線上に伝送するようにして成る方法。
【請求項２】
伝送信号の最高周波数がデータ信号の第２高調波の周波数より少ないようにして成る請求項１に記載の方法。
【請求項３】
同期信号がその伝送中に、新たなデータ伝送を特定するＨ（ハイ）信号又はＬ（ロー）信号として与えられるようにして成る請求項１又は２の何れか一項に記載の方法。
【請求項４】
同期信号の変更時間が受信器の応答時間で決定されるようにして成る請求項１〜３の何れか一項に記載の方法。
【請求項５】
同期信号の全周端数帯域に応じて三つ以上の論理レベルが実行されるようにして成る請求項１〜４の何れか一項に記載の方法。
【請求項６】
データ信号がバイナリーコードの多重ビットワードであり、多重伝送のために多数の多重ビットワードに分割されて成る請求項１〜５の何れか一項に記載の方法。
【請求項７】
データ信号がバイナリーコードの１０ビットワードであり、同時伝送のために５ビットワードに分割されて成る請求項６に記載の方法。
【請求項８】
通常電話回線の正規有効帯域が６００〜３６００Ｈｚであり、出力周波数がデューティーサイクル５０％の方形ＴＴＬ又はＣＭＯＳパルスとして発生されるようにして成る請求項１〜７の何れか一項に記載の方法。
【発明の詳細な説明】
【０００１】
【産業上の利用分野】
本発明は生物学的信号を監視し、記録データを電話回線網上で受信ステーションに伝送する分野に関する。特に本発明は、電話回線可聴域の特定周波数で表される幾つかの論理レベルを実行することにより、ディジタル化した生物学的データをディジタル形式で並列伝送できるようにすることに関する。周波数二つの交互同期を連続させることにより、可聴音でのディジタルデータを、電話回線網を介して、同期して並列に伝送することが出来る。
【０００２】
【従来の技術】
経電話生体モニターは記録された生体信号を捕捉、記憶し、遠隔受信ステーションに伝送するための手持ち式の電池作動装置である。このモニターは電話回線の可聴周波数帯域を用い、記憶データを、電話回線網を介して伝送するものである。かかる経電話医療用モニターは心臓に問題の有る患者の歩行用長期使用を目的としている。患者はそのＥＣＧの記録を起動させれば、装置を電話回線に電気的に接続せずに、記録を遠隔受信ステーションに送信することが出来る。これにより、モニターを安全、且つ簡単に操作することが出来る。
典型的な経電話モニターでは、捕捉ＥＣＧ信号の数個の部分、即ち事象をメモリにディジタル形式で記憶する。記憶されたＥＣＧ波形は、可聴音を用いる通常の電話回線網を介して送信される。経電話送信のためのＥＣＧ信号の符号化は周知の、アナログ信号の周波数変調（ＦＭ）符号化に極めて類似している。
大部分の商用経電話モニターでは、装置からステーションまでの一方向送信であり、ステーションからのオーディオデータを受信するためのハードウェアが複雑、且つ信頼性に乏しいことから、フィードバックや応答確認（ハンドシェーキング）を伴わない。装置を大きくして、一方の側にマイクロホンが有り、他方の側にスピーカーの有る電話送受信器に寸法が整合する大きな装置を使用することは、信頼に足りるオーディオ周波のモデム動作の正しい状況を患者が提供できないから、実用的ではない。また、そうすると、装置は大きくなって、扱い難くなってしまう。
【０００３】
周波数符号化アナログＥＣＧ信号の伝送には１６５０〜２１５０Ｈｚの共用帯域が割り当てられている。殆どの経電話モニターではアナログ信号の送信のために、１００Ｈｚ／ｍＶの周波数偏移におけるＥＣＧ信号のダイナミックレンジを±２．５ｍＶとして、中心周波数として１９００Ｈｚを用いている。実際、通常の電話回線は６００〜３６００Ｈｘの帯域幅を提供しているので、利用可能な周波数帯域幅はもっと広い。
経電話モニターに、狭い周波数帯域を使用し、かつフィードバックが無いと、ＥＣＧ信号をディジタル形式で適正な時間内に送信することが出来ず、従って捕捉アナログ信号は、アナログ形式で周波数変調技術を用いて送信されることになる。
ＥＣＧデータは始めに、メモリにディジタル形式で記憶され、このディジタルデータがオーディオ信号の直接発生のために用いられるものであって、ディジタルデータを再びアナログ電圧に変換し、次いでこの復元アナログ電圧を電圧−周波数変換器等のハードウェアでアナログ周波数に変換することはない。
データ符号化モニターに対しては、各ＥＣＧ値に特定の一連の周波数が発生される。即ち、データが分解能８ビットのものであれば、モニターはアナログＥＣＧ信号の各可能値に対して、１６５０〜２１５０Ｈｚ帯域内の異なる周波数２５６個を発生する。
出力オーディオ周波数の値は各サンプリング期間毎に更新、最新化される。モニターによっては、周波数が実サンプリング時間の１／２又は１／３毎に更新され、伝送速度が２倍又は３倍になるようにしている（加速伝送）。
従って、経電話伝送中には、一度に一周波数が用いられているに過ぎないことが分かる。
【０００４】
５００Ｈｚと広い周波数帯域（１６５０〜２１５０Ｈｚ）を用いているので、アナログ（周波数変調）経電話伝送の精度が制限される。
アナログ信号を１６５０〜２１５０Ｈｚ帯域で、８ビット精度で伝送するには、送信器内の周波数エンコーダーと受信器内の周波数デコーダーにより１．９６０Ｈｚ／ユニット（５００Ｈｚ／２５５）の周波数分解能が維持されるか、又は２１５０Ｈｚにおける０．０９％より良好なものが維持されなければならない。換言すれば、値２５４と２５５に対して周波数の差は０．０６％である。
１０ビット精度を得るには０．４８８Ｈｚ／ユニットの周波数分解能を要し、値１０２３及び１０２４に対して周波数差は０．０００１％に過ぎない。
上記考察のように、音響経電話を通して８ビット精度でも維持するのは困難なことである。
実際には、商用経電話システムの通し精度は７ビット、又は、３．９０Ｈｚ／ユニット（２１５０Ｈｚで０．１８％の精度）である。
【０００５】
現在、周波数変調データ復号化のために受信ステーションで用いられる技術に幾つかが有る。
最も簡単な方法では、アナログ周波数−電圧変換を用いて低分解能チャート式記録計を駆動するようにしている。
もう一つの方法では、元のアナログ信号が復元され、次いでディジタル化され、コンピュータで更に分析するようにしている。この技術は信号の変換を少なくとも二つ、即ち周波数−電圧及びアナログ−ディジタル変換を要する。各変換が信号に、更なる位相、周波数及び振幅の歪をもたらすことが分かる。この技術はコンピュータに対して特殊な付属装置、即ち通常高価な、フィルター又はフェーズロックトループ、コントローラ及びアナログ−ディジタル変換器のカスタムデザインセットの付加を要する。また、有資格者による既製コンピュータのアップグレードを必要とする。
もう一つの、近時開発された方法では、サウンドカード又はボイスモデムを介してコンピュータが受信した音を記録する。音はコンピュータのメモリに、極めて高品質で、歪が極めて少ないディジタル形式で記録される。最新のコンピュータには何れも、そのようなカードが備わっている。受信ステーションのソフトウェアが記録波を解析し、元の信号を検索する。このソフトウェアはディジタルフィルタリングか、スペクトル分析を利用する。これ等の方法でも、受信アナログ信号には位相、周波数及び振幅の歪がもたらされる。ディジタルフィルタリング及びスペクトル分析は当該技術で周知である。
【０００６】
上記の心電計の符号化・復号化法では、元のＥＣＧ信号が次のように変換される：
▲１▼　 元のＥＣＧ信号のアナログ−ディジタル変換；及び
▲２▼　 ディジタル化ＥＣＧ信号の順次ディジット−周波数変換；及び
▲３▼　 周波数−アナログ変換及びアナログ−ディジタル変換；又は
▲４▼ソフトウェア周波数−ディジット変換。
始めのアナログ−ディジタル変換▲１▼は、アナログ信号を特定の分解能とサンプリング速度でディジタル化する。
ディジタル化信号の周波数符号化▲２▼は、元の信号の振幅と位相に非線形性を導入する。
周波数−アナログ及びアナログ−ディジット変換▲３▼は、始めのアナログ−ディジタル変換に対して同期されず、従って元の信号に更なる歪を導入する。
ソフトウェア周波数−ディジット変換▲４▼では、スペクトル分析でのウィンドーの位置決めに不確かさが有り、また初期ＥＣＧサンプルが何気なく平均化されるとディジタルフィルタリングに際し位相及び周波数に明確な歪が生じる。この問題は加速伝送において生ずる。
これ等全ての欠点のため、経電話伝送においてアナログ信号を周波数符号化する方法は使用が心律動障害の基礎的解析にのみ制限される。
ＥＣＧ信号の実際の初期サンプルのタイミング、振幅及び位相の不確かさのために、この方法の全般的精度は、診断用心電図記録装置に対する米国標準規格ＥＣ１１−１９８２の要求条件を満たさない。
経電話医療用モニターにおいて、診断精度の優れた生体データが得られるように、ディジタル化された生体信号をディジタル形式で伝送する方法があれば有利であろう。
【０００７】
【発明が解決しようとする課題】
本発明の目的は経電話医療用モニターにおいて、ディジタル化された生体信号をディジタル形式で伝送する方法及び装置であって、上記の不都合を実質的に克服又は改善する方法及び装置を提供することにある。
【０００８】
【課題を解決するための手段】
本発明の一側面によれば、電話線上のディジタル信号の同期式並列伝送方法であって、少なくとも二つの周波数を有する同期信号を発生し、同時にこれ等のディジタル信号から、少なくとも二つの異なる周波数を有するデータ信号を発生し、前記同期信号とこれ等のデータ信号を、前記同期信号とこれ等のデータ信号の周波数に対応する周波数を有し、電話線上で伝送される音響信号に変換し、これ等の音響信号の少なくとも三つの周波数を電話線上に伝送するようにして成る方法が開示される。
好ましくは、伝送信号の最高周波数がデータ信号の第２高調波の周波数より少ないようにする。
好ましくは、同期信号がその伝送中に、新たなデータ伝送を特定するＨ（ハイ）信号又はＬ（ロー）信号として与えられるようにする。同期信号の変更時間が受信器の応答時間で決定されるようにする。また、同期信号の全周端数帯域に応じて三つ以上の論理レベルが実行されるようにする。
好ましくは、データ信号がバイナリーコードの１０ビットワードであり、同時伝送のために５ビットワードに分割されるようにする。伝送ワードにおけるビット数分割は、他のどんな数でも良い。
通常電話回線の正規有効帯域が６００〜３６００Ｈｚである好適な実施例においては、出力周波数がデューティーサイクル５０％の方形ＴＴＬ又はＣＭＯＳパルスとして発生されるようにする。
【０００９】
【実施態様】
本発明の好適な実施例において、ＥＣＧ信号のオーディオ電話回線を介した同期ディジタル伝送方法が開示される。ＥＣＧ信号は好ましくは、５００Ｈｚサンプル周波数で、且つ１０ビット分解能で捕捉され、図１に示すように単一チップマイクロコントローラに形成された単一チャネル経電話ＥＣＧモニターである経電話生体モニターのメモリに記憶される。モニターは好ましくは、経電話受信ステーションとしてサウンドカードが用いられる既製のコンピュータである。
勿論、ＥＣＧ信号以外の信号及び／又はアナログ−ディジタル変換信号の異なる設定の下にディジタル化された信号も、この方法を用いて伝送することが出来る。
図１を参照して、ＥＣＧ信号はＥＣＧ増幅器１で増幅される。ＥＣＧ増幅器１の出力はアナログ−ディジタル変換器（ＡＤＣ）２の入力に接続される。アナログ−ディジタル変換器２をマイクロコントローラ３が制御する。マイクロコントローラ３はＡＤＣ２から、１０ビット値のディジタル化ＥＣＧ信号を受信する。マイクロコントローラ３はスピーカー４に対して、出力オーディオ周波数を発生する。
【００１０】
データ伝送における最重要条件は、受信器が受信データの境目を確実に認識できるように送信器と受信器の同期化、又は、伝送ワードの開始と終了を、同期化することである。直列非同期伝送では、特殊な開始ビット及び停止ビットが受信バイトの開始及び終了を決定する。
送信器と受信器の同期は並列・直列同期データ転送で用いられる。利用可能な新しいデータが入力に有ることを受信器に伝えるため、特殊な同期信号が発生される。
従来のマイクロプロセッサシステムでは、同期信号がハイ（Ｈ）又はロー（Ｌ）レベルとして、専用同期化ラインに提示される。このラインは受信器の処理時間に対して十分に、「有効データ」状態を保持する。
次いで、新しいデータが読み取られる前には、或る期間の「データ非有効」状態が有る。これ等の［データ非有効］状態の期間は「データ有効」状態に対する初期状態、例えば同期信号のハイレベルからローレベルへの遷移を提供するものであるから極めて重要である。
経電話送信では、利用可能な信号レベルの数は利用可能な周波数帯域と許容可能なレベル間周波数分離幅によってのみ制限される。例えば、全周波数帯域が２０００Ｈｚであり、雑音排除性を良くするため論理レベル間を１０Ｈｚで分離する場合には、上限２００までの論理レベルを用いることが出来る。
本発明の好適な実施例においては、各々が「新しいデータ」状態を表す二つの周波数で同期信号が提示される。これ等の周波数を伝送中に特定の期間で入れ替えると、待ち時間を要しないデータ通信が可能になる。これ等の同期信号の入れ替え時間は受信側の応答時間で決まる。新しい同期周波数を検出する受信器の能力が速ければ速いほど、同期の期間を短く設定できる。新しい同期周波数の検出には或る遅延が伴うが、これはディジタルフィルタリングとスペクトル分析の種類に関係する。分析した信号に付いて所定数の期間を捕捉する必要が有ることから、同期論理レベルの周波数を高めるには検出時間を短くする必要が有り、従って同期目的のためには最高周波数を用いるのが良い。
【００１１】
同期の実行は二つの主要問題を解決する。即ち、
スペクトル分析でのウィンドーを高精度で位置決め出来るので、送信ＥＣＧサンプルの主周波数の検出の信頼性が高まることと、同期期間を最短にすることにより送信速度が最速となることである。送信速度は実際の信号捕捉サンプリング速度に関係なく、送信の質に影響しない。勿論、モニターの実際のサンプリング速度は受信ステーションで知っているべきである。
図２に、本発明の好適な実施例における同期シーケンスを示す。二つの同期周波数５及び６が同期期間７毎に入れ替わる。各交替は新しいＥＣＧデータ信号の送信に対応し、受信器がこの新しいサンプルの受信を開始するのを可能にする。
前述のように、１０ビット分解能のアナログ−ディジタル変換はディジタル化信号に異なるディジタル値１０２４個を作る。ＦＭを用いるアナログ送信では、そのコード化には少なくとも１０２４個の周波数を極めて高い精度で発生させる必要がある。他方、１０２４個の全値が僅か１０ビットのバイナリーコードに詰め込まれる。この１０ビットワードは、各々に僅か３２値が含まれる５ビットワード二つに分割できる。従って、送信のためには異なる僅か６４個の周波数が発生されれば良い。各１０ビット値は、二つの５ビットワードで規定される僅か二つの周波数で表されることになる。勿論、これ等の周波数は雑音排除性のために十分に離間される。
「新しいデータ」同期信号と同時に５ビットワードに対応する二つの周波数を発生させることにより、一つの同期並列１０ビットワードが出来ることになる。
【００１２】
図３に１０ビットＥＣＧ値８を経電話送信のために符号化し、受信データを復号化して１０ビット値１４を得るプロセスを示す。値、又はワード８は、二つの５ビットワード９及び１０に分割される。ワード９は１０ビットワード８の最下位ビット５個を担い、ワード１０は１０ビットワード８の最上位ビット５個を担う。二つの周波数セット１５及び１６が処方され、そして５ビットワードに関連付けされる。各周波数セットは、各々が５ビットワードの３２値の一つに対応する特定周波数３２個から成る。周波数セット１６（周波数ｆ１〜ｆ３２）は最下位ビットワード９に、周波数セット１５（周波数ｆ３３〜ｆ６４）は最上位ビットワード１０に関連付けられる。それから、二つの周波数１１及び１２が周波数セット１５及び１６から各々選択される。周波数１１は５ビットワード１０の３２値の一つを表し、周波数１２は５ビットワード９の３２値の一つを表す。
各周波数は受信器で受信・測定され、対応する５ビットワードに復号化される。周波数１１はワード１７を、周波数１１はワード１３を形成する。最下位ビットワード１７は変わらずに残る。最上位ビットワード１３は先ずそのバイナリー形式に戻され、次いで各ビットにその荷重因子が掛けられる。こうして、新しい５ビットワード１８が形成される。二つのワード１７と１８が足し合わされ、送信サンプル８の元の値に等しい１０ビット値が形成される。
勿論、送信ワードの全ビット数が異なるものでも良く、ワードが幾つの簡単なワードに分割されるようにしても良い。例えば、２チャネルＥＣＧモニターが周波数セット４個を同時に用い、二つの１０ビットワードを送信するようにしても良く、又、１６ビットワードが各セットに周波数１６個をもつ二つの周波数セットに分割されるようにしても良い。勿論、周波数セットの数が元のワードのビット数に等しいようにしても良い。この場合、各周波数セットは二つの周波数のみを含むことになる。
【００１３】
図４に、１０ビットサンプル数個の送信を示す。送信チャネル三つ２０、２１、２２が周波数帯域を同期（２０）、周波数セット２（２１）及び周波数セット１（２２）に対して割り当てる。好適な実施例によれば、チャネル２０における同期のために周波数二つ５及び６のみが用いられる。チャネル２１及び２２の各々には３２の周波数周波数が含まれている。二つの同期周波数２３及び２４の各々は新しいデータサンプルを表す。周波数２３及び２４は送信１０ビットワードの最上位半分及び最下位半分を表す。サンプル値２５は第１の送信サンプルに対するｆ８及びｆ５４の図示例に対応する。
通常の電話回線の正規有用帯域が６００〜３６００Ｈｚである好適な実施例を用い、デューティーサイクルが５０％である方形ＴＴＬ又はＣＭＯＳパルスとして出力周波数が発生される。これ等の送信方形パルスにより第２及び第３高調波が、即ち１８００Ｈｚ信号に対して３６００Ｈｚの第２高調波と５４００Ｈｚの第３高調波が発生される。これ等の高調波は送信信号に重畳され、干渉を起こし、そしてデータ損失を招くこともある。
最高送信周波数を最低送信周波数の第２高調波の周波数より低くすれば、高次高調波と干渉せずに数個の周波数を同時に送信することが出来る。
【００１４】
図５に経電話送信における可聴周波数の分布を示す。電話回線の全周端数帯域が線３０で示されている。最大周波数帯域３１は、最低送信周波数を電話回線周波数帯域の最大送信周波数の半分に設定して得られる。この例では、使用可能帯域は１８００〜３５９０Ｈｚである。
再度図５を参照して、周波数セット１に対する周波数割り当てはチャネル３２として示され、周波数セット２はチャンネル３３として示され、同期チャネルがチャネル３４で示されている。この例では、周波数が最高送信周波数より高い高調波を使用周波数の全部が発生するようになっている。
数個の周波数を発生する技術は周知である。好適な実施例においては、三つの独立した出力部に三つの周波数が同時に発生される。出力信号は図６（三つの独立発生ＴＴＬ又はＣＭＯＳ信号の単純ミキサが示されている）に示されるように、混合され、スピーカー４４に出力される。マイクロコントローラ４０は同期信号４１を発生し、同信号は電流制限抵抗Ｒ１を介してスピーカー４４の一方の側に接続される。
マイクロコントローラ４０は信号４２、４３も発生する。信号４２は周波数セット１（ｆ１〜ｆ３２）に割り当てられる。信号４３は周波数セット２（ｆ３３〜ｆ６４）に割り当てられる。信号４２及び４３はスピーカー４４の他方の側に接続される。
再度図６を参照して、スピーカー４４は好ましくは、主要インピーダンス２０００Ω、発振周波数２５０〜４０００Ｈｚの圧電スピーカーである。好適な実施例においては、キングステート　エレクトロニクス社（Ｋｉｎｇｓｔａｔｅ Ｅｌｅｃｔｒｏｎｉｃｓ Ｃｏｒｐｏｒａｔｉｏｎ）からのＫＰＥ−００７圧電スピーカーが用いられる。Ｒ１、Ｒ２、Ｒ３の値は等しい。図示の構成では、スピーカー４４はＴＴＬ又はＣＭＯＳ信号により擬似プッシュプルモードで駆動される。勿論、この用途では種々のアナログミキサが使用可能である。
上記は本発明の実施例を若干記すものであり、本発明の範囲を逸脱することなく当業者に自明な変更が可能である。
【図面の簡単な説明】
【図１】
本発明の好適な実施例による経電話モニターの構成を示すブロック図である。
【図２】
図１の経電話モニターの同期化シーケンスを示す。
【図３】
図１の経電話モニターの経電話伝送のための符号化を示す。
【図４】
図１の経電話モニターを用いた１０ビットサンプル数個の伝送を示す。
【図５】
図１の経電話モニターを用いた経電話伝送における音響周波数の分布を示す。
【図６】
図１の経電話モニターを用いるためのミキサを示す。
【図１】
2004513590.tif 000003
【図２】
2004513590.tif 000004
【図３】
2004513590.tif 000005
【図４】
2004513590.tif 000006
【図５】
2004513590.tif 000007
【図６】
2004513590.tif 000008
【国際公開パンフレット】
2004513590.tif 000009
2004513590.tif 000010
2004513590.tif 000011
2004513590.tif 000012
2004513590.tif 000013
2004513590.tif 000014
2004513590.tif 000015
2004513590.tif 000016
2004513590.tif 000017
2004513590.tif 000018
2004513590.tif 000019
2004513590.tif 000020
2004513590.tif 000021
2004513590.tif 000022
2004513590.tif 000023
2004513590.tif 000024
2004513590.tif 000025
2004513590.tif 000026
【国際調査報告】
2004513590.tif 000027
2004513590.tif 000028